(57)【要約】【課題】速結端子に接続された電線を容易に引き抜くことができる端子台を提供する。【解決手段】絶縁材料により中空箱型に形成され、電線４１を挿入する複数の電線挿通孔１１ａが前面１１０に並設されるケースと、ケース内において電線挿通孔に対向して設けられる基部２２ａ及び基部２２ａにおいて電線挿通孔１１ａの並設方向に沿って形成された縁端部から前方へ向けて延設される導通片２２ｂを有する端子板２０、並びに導通片２２ｂと対向して配置され、ケース１１内に入線する電線４１を導通片２２ｂへ押圧して電線４１と端子板２２とを電気的に接続し、電線４１を鎖錠する鎖錠ばね２１を有する速結端子２とを備え、ケース１１は、前面１１０に隣接する傾斜面１１１が、隣接方向に向かうに従って後方へ傾斜し、傾斜面１１１には、電線４１を鎖錠する鎖錠ばね２１を押圧して解錠させるための工具４２が挿通する工具挿通孔１１１ａが形成される。【選択図】図１
2011082103.tif 000002
【特許請求の範囲】
【請求項１】
絶縁材料により中空箱型に形成され、電線を挿入する１乃至複数の電線挿通孔が第一面に並設されるケースと、
ケース内において電線挿通孔に対向して設けられる基部及び基部において電線挿通孔の並設方向に沿って形成された縁端部からケースの第一面へ向けて延設される導通片を有する端子板、並びに導通片と対向して配置され、電線挿通孔を介してケース内に入線する電線を導通片へ押圧して電線と端子板とを電気的に接続し、当該電線を鎖錠する鎖錠ばねを有する速結端子とを備え、
前記ケースは、第一面に隣接する第二面が、第一面から離れるに従って電線の挿入方向に傾斜し、当該第二面には、鎖錠ばねを押圧して解錠させるための工具が挿通する工具挿通孔が形成されることを特徴とする端子台。
【請求項２】
前記ケースは、電線挿通孔と、当該電線挿通孔を挿通する電線に鎖錠する鎖錠ばねを解錠するための工具が挿し込まれる工具挿通孔との各組間に、凹部または凸部が形成されることを特徴とする請求項１記載の端子台。
【発明の詳細な説明】
【技術分野】
【０００１】
本発明は、端子台に関するものである。
【背景技術】
【０００２】
従来より、ねじによらずに電線の接続を可能にした、所謂速結端子を有した端子台が提供されている。そして、この種の端子台は、例えば住宅等の室内に設置される分電盤に取り付けられ、分電盤の各分岐ブレーカより配電される電源コンセントのアース端子と電線を介して電気的に接続されることで、電源コンセントに接続される電子機器の接地を行っている。
【０００３】
このような端子台Ｂとして、図６に示すように、ケース５１と、ケース５１内に配設される速結端子５２とを備えたものが提供されている（例えば特許文献１参照）。以下、図６における上下左右方向を基準として説明を行う。
【０００４】
ケース５１は、絶縁材料により形成され、下面が開口する略矩形箱型のカバー５１１と、長尺略矩形板状に形成されてカバー５１１の開口（下面）に覆設されるベース５１２とから構成される。
【０００５】
カバー５１１の上面には、図示しない電線が挿通する電線挿通孔５１１ａが左右方向に沿って複数貫設されている。また、カバー５１１の左右各側壁の下端には、略矩形状の切り欠き５１１ｂがそれぞれ形成されている。
【０００６】
ベース５１２は、長手方向の寸法がカバー５１１の左右方向の寸法よりも長く形成され、長手方向両端には、略六角形状の凹部５１２ａがそれぞれ形成されており、各凹部５１２ａには、六角ナット５１３がそれぞれ嵌設されている。
【０００７】
速結端子５２は、複数の鎖錠ばね５２１と、鎖錠ばね５２１によって押圧される電線と導通する端子板５２２と、鎖錠ばね５２１を撓ませることで鎖錠ばね５２１の電線に対する押圧を解除する解除釦５２３とを備える。
【０００８】
鎖錠ばね５２１は、略帯板状の中央片５２１ａと、中央片５２１ａの一端から延設されて中央片５２１ａと鋭角を形成する鎖錠片５２１ｂと、中央片５２１ａの他端から延設されて略Ｓ字状に形成され、中央片５２１ａの厚み方向に弾性を有する押圧片５２１ｃとから構成される。
【０００９】
端子板５２２は、長尺略矩形板状の基部５２２ａと、基部５２２ａの一端から延設される狭持片５２２ｂと、基部５２２ａの他端から狭持片５２２ｂに対して略平行となるように延設される当接片５２２ｃとから断面略略コの字状に形成される。基部５２２ａは、長手方向の寸法がカバー５１１の長手方向における内寸と略等しく、長手方向の両端からは、挿通孔５２２ｅが穿設された端子片５２２ｄがそれぞれ延設される。
【００１０】
解除釦５２３は、略直方体状に形成され、左右両側壁からは解除突部５２３ａが突出している。そして、解除釦５２３は、２つの鎖錠ばね５２１につき１つ設けられ、当該２つの鎖錠ばね５２１間に配設されて、解除突部５２３ａが左右に配置される鎖錠ばね５２１の各鎖錠片５２１ｂに当接する。
【００１１】
そして、鎖錠ばね５２１及び解除釦５２３は、端子板５２２の狭持片５２２ｂと当接片５２２ｃとの間に配設され、鎖錠ばね５２１の中央片５２１ａと端子板５２２の当接片５２２ｃとが当接し、鎖錠ばね５２１の鎖錠片５２１ｂ及び押圧片５２１ｃが、端子板５２２の当接片５２２ｃに対向した状態で設けられる。
【００１２】
続いて、端子板５２２が、開放端をカバー５１１の電線挿通孔５１１ａに対向させた状態でカバー５１１の開口より当該カバー５１１内へ挿入され、その後に、カバー５１１の開口にベース５１２が覆設される。その際、カバー５１１とベース５１２との間からは、カバー５１１の切り欠き５１１ｂを介して、端子板５２２の端子片５２２ｄがカバー５１１外へ突出する。ここで、端子片５２２ｄの挿通孔５２２ｅと、ベース５１２に嵌設された六角ナット５１３のねじ孔５１３ａとは略同軸となるように設定されており、ねじ５３が挿通孔５２２ｅを挿通して六角ナット５１３のねじ孔５１３ａに螺合することで、端子板５２２がベース５１２に共締め固定される。つまり、ねじ５３と端子片５２２ｄと六角ナット５１３とからねじ端子部５４が形成される。
【００１３】
ねじ端子部５４には、一端が接地されて他端に丸端子等が設けられた図示しないアース線の他端が接続される。また、一端が外部負荷に接続された電線の他端が、カバー５１１の挿通孔５１１ａを挿通してケース５１１内に挿し込まれて、鎖錠ばね５２１の鎖錠片５２１ｂ及び押圧片５２２ｃによって端子板５２２の狭持片５２２ｂに押圧されることで端子板５２２と導通し、アース接続される。
【００１４】
また、解除釦５２３に対向するカバー５１１の上面には、工具挿通孔５１１ｃが穿設され、当該工具挿通孔５１１ｃを介して、例えばマイナスドライバ等の工具がケース５１内に差し込まれて解除釦５２３が下方に押し下げられることで、解除釦５２３の解除突部５２３ａが鎖錠ばね５２１の鎖錠片５２１ｂを撓ませて電線に対する係止が解除され、電線の引き抜きが可能となる。
【先行技術文献】
【特許文献】
【００１５】
【特許文献１】特開２０００−２４３４８３号公報
【発明の概要】
【発明が解決しようとする課題】
【００１６】
しかしながら、上記従来例における端子台Ｂでは、電線挿通孔５１１ａが形成されたケース５１の上面に工具挿通孔５１１ｃも形成されていることから、速結端子５２に接続された電線を引き抜く際、電線挿通孔５１１ａと同一面に形成された工具挿通孔５１１ｃに電線挿通孔５１１ａに挿入された電線と同じ角度で工具を挿し込むこととなり、工具挿通孔に挿し込まれた工具が邪魔で電線を掴み難く、電線の引き抜き作業が行い難いという問題があった。
【００１７】
本発明は、上記事由に鑑みてなされたものであり、その目的は、速結端子に接続された電線の引き抜き作業を容易に行うことができる端子台を提供することにある。
【課題を解決するための手段】
【００１８】
請求項１の発明は、絶縁材料により中空箱型に形成され、電線を挿入する１乃至複数の電線挿通孔が第一面に並設されるケースと、ケース内において電線挿通孔に対向して設けられる基部及び基部において電線挿通孔の並設方向に沿って形成された縁端部からケースの第一面へ向けて延設される導通片を有する端子板、並びに導通片と対向して配置され、電線挿通孔を介してケース内に入線する電線を導通片へ押圧して電線と端子板とを電気的に接続し、当該電線を鎖錠する鎖錠ばねを有する速結端子とを備え、前記ケースは、第一面に隣接する第二面が、隣接方向へ向かうに従って電線の挿入方向に傾斜し、当該第二面には、鎖錠ばねを押圧して解錠させるための工具が挿通する工具挿通孔が形成されることを特徴とする。
【００１９】
この発明によれば、電線挿通孔が形成される第一面に対して、当該第一面に隣接して工具挿通孔が形成される第二面が、第一面から離れるに従って電線の挿入方向へ傾斜しているため、電線を電線挿入孔を介して速結端子から引き抜く際、電線の挿通方向に対して斜め方向から工具を挿し込むこととなり、工具が邪魔になることなく電線挿入孔に挿入された電線を掴むことができ、電線の引き抜き作業を容易に行うことができる。
【００２０】
請求項２の発明は、請求項１の発明において、前記ケースは、電線挿通孔と、当該電線挿通孔を挿通する電線に鎖錠する鎖錠ばねを解錠するための工具が挿し込まれる工具挿通孔との各組間に、凹部または凸部が形成されることを特徴とする。
【００２１】
この発明によれば、各電線挿通孔と、当該電線挿通孔に挿し込まれた電線を引き抜く際に工具が挿し込まれるべき工具挿通孔との各組を容易に区別することができ、所望の電線を電線挿通孔から引き抜く際に、いずれの工具挿通孔に工具を挿し込むべきかを容易に判断することができる。
【発明の効果】
【００２２】
以上説明したように、本発明では、速結端子に接続された電線の引き抜き作業を容易に行うことが可能な端子台を提供することができるという効果がある。
【図面の簡単な説明】
【００２３】
【図１】本発明の実施形態における端子台の分解斜視図を示す。
【図２】同上における端子台の断面図を示す。
【図３】同上における端子台の斜視図を示す。
【図４】同上における端子台の斜視図を示す。
【図５】同上における端子台が配設された分電盤の斜視図を示す。
【図６】従来例における端子台の斜視図を示す。
【発明を実施するための形態】
【００２４】
以下、本発明の実施の形態を図面に基づいて説明する。
【００２５】
（実施形態）
本実施形態の端子台Ａは、図１、２に示すように、ケース１と、ケース１内に配設される速結端子２とを備えたものが提供されている（例えば特許文献１参照）。以下、図１における上下左右方向を前後左右方向として説明を行う。
【００２６】
ケース１は、絶縁材料により形成され、後面（底面）が開口する左右方向に長い長尺略矩形箱型のカバー１１と、カバー１１の後面に覆設されるベース１２とから構成される。
【００２７】
カバー１１の前面には、電線４１が挿通する電線挿通孔１１ａが左右方向（長手方向）に沿って複数貫設されている。
【００２８】
また、カバー１１の前面（第一面）１１０の短手方向の端部からは、前面１１０に隣接して隣接方向（図１における矢印Ｘ１方向）へ向かうに従って後方へ向けて傾斜する傾斜面（第二面）１１１が形成されている。そして、傾斜面１１１には、電線挿通孔１１ａと等しい数の工具挿通孔１１１ａが電線挿通孔１１１ａの並設方向に沿って貫設されている。
【００２９】
更に、カバー１１の左右各側壁の下端には、略矩形状の切り欠き１１ｂがそれぞれ形成されている。
【００３０】
ベース１２は、前面が開口した略矩形箱型に形成され、短手方向の各側壁には一対の係止孔１２ａがそれぞれ穿設されている。
【００３１】
速結端子２は、複数の鎖錠ばね２１と、鎖錠ばね２１によって押圧される電線４１と導通する銅板から形成される端子板２２と、端子板２２と共に鎖錠ばね２１を収納する鉄製のばね受け部材２３とを備える。
【００３２】
鎖錠ばね２１は、略帯板状の中央片２１ａと、中央片２１ａの一端から延設されて中央片２１ａと鋭角を形成する鎖錠片２１ｂと、中央片２１ａの他端から延設されて略Ｓ字状に形成され、中央片２１ａの厚み方向に弾性を有する押圧片２１ｃとから構成される。
【００３３】
端子板２２は、左右方向に長い長尺略矩形板状の基部２２ａと、基部２２ａの短手方向一端から前方へ延設される導通片２２ｂと、基部２２ａの左右両端から前方へ向けて延設される立設部２２ｃと、立設部２２ｃの先端から左右方向外側へ向けて延設されて挿通孔２２ｅが穿設される端子片２２ｄとから構成される。
【００３４】
ばね受け部材２３は、端子板２２の基部２２ａよりも左右方向の長さが若干長く形成される長尺略矩形平板状の基部２３ａと、基部２３ａの短手方向一端から前方へ向けて延設される第一の延設部２３ｂと、基部２３ａの短手方向他端から前方へ向けて延設される第第二の延設部２３ｃと、基部２３ａの左右方向両端から前方へ向けて延設される立設部２３ｄと、立設部２３ｄの先端から左右方向外側へ向けて延設されてねじ孔２３ｆが穿設される端子片２３ｅとから構成される。
【００３５】
そして、端子板２２は、ばね受け部材２３の第一、第二の延設部２３ｂ、２３ｃ間に挿入され、基部２２ａがばね受け部材２３における基部２３ａの前面に重ねて配置される。ここで、基部２２ａが基部２３ａに重ねて配置された際、端子片２２ｄの各側縁から後方へ向けて延設される突片２２ｆが、端子片２３ｅの各側縁に形成される略矩形状の切り欠き２３ｇに嵌まり込むことで、端子片２３ｅに対する端子片２２ｄの位置決めがなされる。これにより、端子片２２ｄに形成される挿通孔２２ｅと、端子片２３ｅに形成されるねじ孔２３ｆとが略同軸となり、挿通孔２２ｅを挿通してねじ孔２３ｆに螺合するねじ２４により、端子片２２ｄと端子片２３ｅとが共締め固定されてねじ端子部２０が形成される。
【００３６】
次に、鎖錠ばね２１が、端子板２２の導通片２２ｂとばね受け部材２３の第二の延設部２３ｃとの間に配設される。その際、鎖錠ばね２１の中央片２１ａが、第二の延設部２３ｃに当接し、鎖錠ばね２１の鎖錠片２１ｂと押圧片２１ｃとが、端子板２２の導通片２２ｂに対向して設けられる。
【００３７】
そして、ばね受け部材２３は、端子板２２及び鎖錠ばね２１が組み付けられた状態で開放端側からカバー１１の下面より当該カバー１１内へ差し込まれる。そして、カバー１１の短手方向における各側面の下端に形成される一対の係止突部１１ｃが、ベース１２の係止孔１２ａに係止されることで、カバー１１がベース１２に固定される。
【００３８】
また、カバー１１の内面には、短手方向に沿って図示しないリブが形成されており、当該リブによってカバー１１内に配設される各鎖錠ばね２１間が仕切られると共に、錠ばね２１の傾きが防止される。
【００３９】
また、カバー１１に形成された切り欠き１１ｂより端子板２２及びばね受け部材２３の基部２２ａ、２３ａの左右両端部が、カバー１１外に露出する。つまり、端子板２２の立設部２２ｃ及び端子片２２ｄはカバー１１外に位置し、立設部２２ｃはベース１２の前面よりカバー１１の前面１１０へ向けて延出し、端子片２２ｄは立設部２２ｃの先端よりカバー１１の前面１１０と略平行に設けられることとなる。
【００４０】
そして、ねじ端子部２０には、一端がアース接続されて他端に丸端子等が設けられた図示しないアース線の他端が接続され、当該アース線と端子板２２とが導通する。
【００４１】
また、カバー１１の電線挿通孔１１ａからケース１内に挿し込まれる電線４１は、鎖錠ばね２１の押圧片２１ｃによって端子板２２の導通片２２ｂに押圧されると共に、鎖錠片２１ｂが電線４１に食い込むことで係止され、端子板２２を介してアース接続される。
【００４２】
また、本実施形態の端子台Ａは、１つの電線挿通孔１１ａにつき、当該電線挿通孔１１ａに挿し込まれた電線４１を引き抜く際に工具４２が挿し込まれる１つの工具挿通孔１１１ａが対応しており、電線挿通孔１１ａと、当該電線挿通孔１１ａに対応する工具挿通孔１１１ａとは、傾斜面１１１の隣接方向において並設されている。
【００４３】
そして、速結端子２に接続された電線４１を引き抜く際には、図３，４に示すように、所望の電線４１が挿通する電線挿通孔１１ａに対応する工具挿通孔１１１ａに、例えばマイナスドライバ等の工具４２を挿し込み、鎖錠ばね２１の鎖錠片２１ｂを押圧することにより当該鎖錠片２１ｂを撓ませ、当該鎖錠片２１ｂの電線４１に対する鎖錠状態を解除することで、電線４１を引き抜くことができる。
【００４４】
また、本実施形態の端子台Ａでは、電線挿通孔１１ａが形成されたカバー１１の前面１１０に対して工具挿通孔１１１ａが形成された傾斜面１１１が、前面１１０から離れるに従って後方へ向かって傾斜している。そのため、電線挿通孔１１ａにおける電線４１の挿通方向に対して、斜め方向から工具挿通孔１１１ａに工具４２が挿入される。従って、電線４１を速結端子２から引き抜く際、工具挿通孔１１１ａに工具４２が挿し込まれた状態であっても工具４２が邪魔になることなく電線挿入孔１１ａに挿入された電線４１を掴むことができ、電線４１の引き抜き作業を容易に行うことができる。
【００４５】
また、上記の通り、電線４１を速結端子２から引き抜く際、工具挿通孔１１１ａに工具４２が挿し込まれた状態であっても工具４２が邪魔になることなく電線挿入孔１１ａに挿入された電線４１を掴むことができることから、図５に示すような、分電盤内等のように、端子台Ａの周囲に分電盤のケース３１の壁部３１ａや分岐ブレーカ３２等が近接している場合であっても、図６で示す従来例の端子台Ｂに比べて、電線４１を掴み易く当該電線４１の引き抜き作業を容易に行うことができる。
【００４６】
また、電線挿通孔１１ａと、当該電線挿通孔１１ａに対応する工具挿通孔１１１ａとの各組間には、隔壁（凸部）１１ｄが突設されている。そのため、電線挿通孔１１ａと、当該電線挿通孔１１ａに挿し込まれた電線４１を引き抜く際に工具４２が挿し込まれるべき工具挿通孔１１１ａとの各組を容易に区別することができ、所望の電線４１を電線挿通孔から引き抜く際に、いずれの工具挿通孔に工具４２を挿し込むべきかを容易に判断することができる。なお、本実施形態では、電線挿通孔１１ａと、当該電線挿通孔１１ａに対応する工具挿通孔１１１ａとの各組間には、隔壁（凸部）１１ｄが突設されているが、各組間に凹部を形成してもよい。
【符号の説明】
【００４７】
１  ケース
２  速結端子
１１ａ  電線挿通孔
２１  鎖錠ばね
２２  端子板
２２ａ  基部
２２ｂ  導通片
２２ｃ  立設部
２２ｄ  端子部
２２ｅ  挿通孔
２３ｆ  ねじ孔
４１  電線
４２  工具
１１０  前面（第一面）
１１１  傾斜面（第二面）
【図１】
2011082103.tif 000003
【図２】
2011082103.tif 000004
【図３】
2011082103.tif 000005
【図４】
2011082103.tif 000006
【図５】
2011082103.tif 000007
【図６】
2011082103.tif 000008